(57)【特許請求の範囲】
【請求項１】
壁面Ｗ側に装着されるねじ機構と、棒状体１に固定されてねじ機構で壁面側へ引き寄せ締結される第１ねじ３とからなり、
ねじ機構は、壁面Ｗに締結固定される台座４と、台座４と壁面Ｗとの間に配置されて台座４に回転自在に抜け止め支持される締結体５と、台座４の外端面に配置されて締結体５をねじ込み操作する操作体６とからなり、
締結体５に、第１ねじ３とかみ合う第２ねじ８が設けられており、
第１ねじ３のねじ中心と台座４の取り付け中心とのずれを吸収する隙間Ｅが、
台座４と締結体５との間に設けられており、
操作具６と締結体５との間に、互いに凹凸係合して操作具６の回転力を締結体５に伝える係合体１３・１６が設けてある棒状体の取付構造。
【請求項２】
締結体５と、締結体５を回転自在に抜け止め支持する台座４の保持穴７とが、それぞれ断面円形に形成されていて、隙間Ｅが径方向へ均一に設けられている請求項１記載の棒状体の取付構造。
【請求項３】
締結体５が、六角ボルトからなるねじ軸８と、締結リング９とからなり、
締結リング９は、ねじ軸８の挿通用の孔１１と、ねじ軸８の操作頭部を受け入れる座部１２とを備えており、
第１ねじ３が雌ねじ体で形成されている請求項１又は２記載の棒状体の取付構造。
【請求項４】
ねじ機構の外面を覆い隠すキャップ２０が、操作体６にねじ込み固定されており、
キャップ２０と台座４との間に、第１ねじ３のねじ中心と台座４の取付中心とのずれを吸収する隙間Ｆが設けられている請求項１又は２又は３記載の棒状体の取付構造。
【発明の詳細な説明】
【０００１】
【発明の属する技術分野】
本発明は、壁面に装着される握りバー、補助手すり、タオル掛けなどの棒状体に関し、その取付構造に改良を加えたものである。
【０００２】
【従来の技術】
特開平７−３３２３２５号公報では、円盤状の雄ねじ体を壁面にビス止めし、雄ねじ体とかみ合うねじリングを握り棒側に回転自在に備えている。特開平８−１９１７７８号公報には、先の雄ねじ体に相当する部材を、ねじ本体とねじ本体を壁面に締結するためのプラグとで構成した取付構造が開示されている。ねじ本体は周面に雄ねじを有し、盤面の中央に三角形状の係合孔が設けられている。プラグは前記係合孔に内嵌する三角形状の係合突起を有し、その片面にフランジが張り出してある。係合突起を係合孔に内嵌した状態で、プラグを壁面にビス止めすることにより、ねじ本体を回動不能に、しかし径方向へは融通移動できるように抜け止め保持できる。
【０００３】
【発明が解決しようとする課題】
上記の取付構造によれば、ねじ本体がプラグに対して融通隙間分だけ移動できるので、左右一対のねじ本体およびプラグを壁面に固定した後、握り棒をねじ本体にねじ込み連結する施工形態を採ることができる。つまり、握り棒が長尺になる場合でも、一名の作業者のみで取り付け作業を行える。しかし、プラグとねじ本体とは三角形状の係合孔と係合突起を介して嵌係合するので、両者のずれ方向によって融通隙間量が異なり、径方向のずれ吸収量を均等化できない。また、係合孔と係合突起の中心どうしがずれた状態では、必ずしも係合孔の３点を受け止めることができず、長期使用時にがた付きを生じることがある。
【０００４】
壁面に固定したねじ本体にねじリングをねじ込んで棒状体の取り付けを行うので、ねじリングのねじ込み終期に、リング端面が壁面と摺接して壁面を傷付けることがある。リング端面が壁面と摺接し始めると、その分だけ操作抵抗が増え、ねじ込み困難になることもある。とくに、壁面に凹凸がある場合に、ねじリングを最後までねじ込み操作できない。装着状態において、ねじリングが取付部の外面に露出するので、いたずらを受けやすい不利もある。
【０００５】
本発明の目的は、壁面側に装着したねじを回転操作して、棒状体を壁面側へ引き寄せ固定する形態の棒状体の取付構造を提供することにある。
本発明の目的は、径方向のずれ吸収量を常に均一化し、長期使用時にもがた付きを生じることなく、棒状体を壁面に強固に締結固定できる棒状体の取付構造を提供することにある。
本発明の目的は、取付壁面に擦り傷を付けることなく棒状体を締結でき、しかも壁面の凹凸とは無関係に棒状体を完全に引き寄せ固定できる棒状体の取付構造を提供することにある。
【０００６】
【課題を解決するための手段】
本発明に係る棒状体の取付構造は、壁面Ｗ側に装着されるねじ機構と、棒状体１に固定されてねじ機構で壁面側へ引き寄せ締結される第１ねじ３とからなる。ねじ機構は、壁面Ｗに締結固定される台座４と、台座４と壁面Ｗとの間に配置されて台座４で回転自在に抜け止め支持される締結体５と、台座４の外端面に配置されて締結体５をねじ込み操作する操作体６とからなる。締結体５には第１ねじ３とかみ合う第２ねじ８が設けてある。第１ねじ３のねじ中心と台座４の取り付け中心とのずれを吸収する隙間Ｅが、台座４と締結体５との間に設けられている。操作具６と締結体５との間に、互いに凹凸係合して操作具６の回転力を締結体５に伝える係合体１３・１６を設ける。
【０００７】
具体的には、締結体５と、締結体５を回転自在に抜け止め支持する台座４の保持穴７とがそれぞれ断面円形に形成されていて、隙間Ｅが径方向へ均一に設けられている。締結体５は、六角ボルトからなるねじ軸８と、締結リング９とからなり、締結リング９はねじ軸８の挿通用の孔１１と、ねじ軸８の操作頭部を受け入れる座部１２とを備えており、第１ねじ３を雌ねじ体で形成している。ねじ機構の外面を覆い隠すキャップ２０を有し、キャップ２０は操作体６にねじ込み固定し、キャップ２０と台座４との間に、第１ねじ３のねじ中心と台座４の取付中心とのずれを吸収する隙間Ｆを設ける。
【０００８】
【作用】
棒状体１を壁面Ｗに固定する場合には、第１ねじ３を第２ねじ８に当てがい、壁面Ｗ側に設けた操作体６を回転して締結体５の第２ねじ８を第１ねじ３にねじ込み操作する。このとき、締結体５は台座４に回転自在に抜け止め支持してあるので、棒状体１は第１ねじ３と共に台座４側へ引き寄せられて、操作体６に密着接合する。このように、壁面Ｗ側に設けた第２ねじ８を回転操作して、棒状体１を引き寄せ締結する形態によれば、壁面Ｗの凹凸状態とは無関係に、棒状体１をがた付きの生じる余地のない状態で最後まで締結できる。締結体５や操作体６等のねじ込み操作に伴う壁面の傷付きも解消できる。台座４と締結体５との間に設けた隙間Ｅの分だけ、第１ねじ３と台座４との中心位置のずれを吸収できる。
【０００９】
締結体５と、台座４に設けた保持穴７とがそれぞれ断面円形に形成されていると、径方向の隙間Ｅの量を均一化できる。つまり、壁面Ｗに複数の台座４を固定した場合の台座間のピッチと、棒状体１に設けた第１ねじ３の中心間距離とのずれを全方向へ均等に吸収して、棒状体１の取り付けを簡便に行える。台座４を壁面Ｗに締結する際に、台座４の取り付け姿勢を気使う必要もない。
【００１０】
締結リング９とねじ軸８との２部品で構成した締結体５によれば、六角ボルトを利用してねじ軸８を形成できるので、その分だけ製作コストが減少する。ねじ機構の外面をキャップ２０で覆ってあると、操作体６をキャップ２０で隠蔽できるので、いたずらを受けにくいし、第１・第２の両ねじ３・８のかみ合い部分の防塵や防水にも役立つ。
【００１１】
【実施例】
図１ないし図５は、本発明に係る棒状体の取付構造の実施例を示す。図１において、符号１は壁面Ｗに装着される棒状体である。棒状体１はステンレス製の管材１ａの外周面に、例えば塩化ビニル等のプラスチック被覆１ｂを施して形成してある。棒状体１は玄関や浴室、あるいはトイレ等の壁面Ｗに装着されて、握りバーや補助手すりとして使用される。
【００１２】
棒状体１の取付構造は、壁面Ｗの側に装着されるねじ機構と、棒状体１の管材１ａの開口端内面に溶接した第１ねじ３とからなる。第１ねじ３は平面視が四角形状のステンレス製のブロックからなり、その中央に後述するねじ軸（第２ねじ）８がかみ合うねじ穴３ａを上下貫通状に形成してある（図２参照）。
【００１３】
図２および図３において、ねじ機構は壁面Ｗにビス止め固定される円盤状の台座４と、台座４に上方への抜け止めを図って回転自在に支持される締結体５と、台座４の外端面に配置される六角形状の操作体６とからなる。台座４は断面凸字状のプラスチック成形品からなり、その中央に締結体５を受け入れるための保持穴７が上下貫通状に形成してある。台座４の周縁沿いには３個のビス挿通穴を形成する。保持穴７は台座４の壁面Ｗとの接合面（下面）側に設けられた大径の円形穴と、外端面（上端面）側に設けられた小径の円形穴とで断面凸字状に形成してあり、両穴の間に図１に示すごとく締結リング９を受け止めるための段部７ａを有する。
【００１４】
締結体５は、第１ねじ３にかみ合うねじ軸（第２ねじ）８と締結リング９との２部品で構成される。コスト削減のためにねじ軸８は六角ボルトを用いた。締結リング９は、断面凸字状の回転体からなるプラスチック成形品であって、その中央にねじ軸８の軸部を挿通するための孔１１が上下貫通状に形成されている。締結リング９には、孔１１の下部に連続して、ねじ軸８の操作頭部を受け入れる断面六角形の座部１２が形成されている。さらに、締結リング９の凸部の上面側には、平面視が扇形の一対の係合体１３を設け、両係合体１３間に操作体６の係合体１６を受け入れる扇形の凹部１４が設けられている。締結リング９を台座４の保持穴７に組み込んだ状態において、リング外面の段壁９ａの上面が前記段部７ａの下面で受け止められて、締結リング９は台座４に対して回転自在ではあるが上方へは抜け外れ不能に支持される。保持穴７は上下の円形穴部が締結リング９よりひと回り大きく形成してあって、両者７・９間に位置ずれを吸収するための隙間Ｅが設けてある。
【００１５】
操作体６は、平面視が六角形の操作盤１５の下面に、前記凹部１４と係合する一対の扇形の係合体１６を突設したプラスチック成形品からなる。操作盤１５の中央にはねじ軸８を挿通するための孔１７を設けてある。操作盤１５の上面周縁にはリング壁を突設し、その外周面にねじ１８を形成する。操作体６を締結リング９および台座４に組んだ状態において、操作盤１５の周縁部は台座４の上端面より径方向外側へ張り出している。この操作盤１５を回転操作すると、回転力が周方向に隣接する係合体１３・１６を介して締結リング９へ伝わり、これでねじ軸８を第１ねじ３にねじ込み操作できる。
【００１６】
棒状体１を壁面Ｗに取り付けた状態において、ねじ機構の全体を覆い隠すためのキャップ２０を備えている。図１において、このキャップ２０は台座４の外周りを覆うスカート部２１の下縁側が開口し、上面中央に棒状体１にスライド自在に外嵌するボス２２を設けたプラスチック成形品であり、ボス２２の内面に前記ねじ１８とかみ合う雌ねじ２３が形成されている。スカート部２１と台座４の周側面との間にも、前記隙間Ｅと同趣旨の隙間Ｆ（図３参照）を同寸法だけ確保しておく。
【００１７】
次に棒状体１の取り付け手順を説明すると、まず図１に示すように締結体５を台座４の保持穴７に装着し、台座４を壁面Ｗの所定位置にビスで締結固定する。キャップ２０は図１に示すように棒状体１の取付部２の屈曲部分に外嵌しておく。次に、ねじ軸８に操作体６を外嵌挿通し、操作体６の係合体１６が締結リング９の係合体１３と係合する状態で、操作盤１５を台座４の外端面に位置させる。この状態で棒状体１の一方の第１ねじ３をねじ軸８に当てがい、操作盤１５を回転操作してねじ軸８を第１ねじ３にねじ込む。このとき、締結リング９およびねじ軸８は操作盤１５と同行回転するが、締結リング９は保持穴７の段部７ａで受け止められているので、第１ねじ３が壁面Ｗ側へ引き寄せられ、図３に示すように最終的に管材１ａの開口端部が操作体６の外方上面に密着する。
【００１８】
操作盤１５は手で直接ねじ込み操作した後、棒状体１を適正な取り付け姿勢に維持した状態で、スパナ等の工具を用いて増締めする。最後にキャップ２０をねじ機構に被せ付け、その雌ねじ２３を操作体６のねじ１８にねじ込んで、操作体６と一体化する。このとき、スカート部２１の開口縁が壁面Ｗと擦れ合うが、キャップ２０は棒状体１の取付強度とは関係がなく、スパナ等の工具を用いて強固にねじ込む必要がないので壁面Ｗが傷付くことはない。同様にして他方のねじ機構を壁面Ｗに装着したのち、ねじ軸８を第１ねじ３にねじ込み、キャップ２０を操作盤１５にねじ込む。このとき、台座４の壁面Ｗに対する締結位置がずれていたとしても、締結体５および操作体６は隙間Ｅがある分だけ移動できるので、第１ねじ３のねじ中心と、台座４の取り付け中心のずれを吸収して、棒状体１の取り付けを支障なく行える。キャップ２０も台座４と接当干渉することなく操作体６にねじ込み装着できる。
【００１９】
棒状体１は別の手順で壁面Ｗに取り付けることができる。すなわちまずキャップ２０を棒状体１に通し、台座４に締結体５と操作体６を組む。この状態でねじ軸８を第１ねじ３にねじ込み、左右のねじ機構を棒状体１に仮り組する。次に左右の台座４を所定の締結位置に当てがい、各台座４をビス止めする。その後に左右の操作体６をねじ込み操作して、棒状体１を壁面Ｗに締結し、最後にキャップ２０を操作体６にねじ込んで固定すればよい。
【００２０】
上記の取付構造においては、操作体６を台座４および締結体５に組み付けた状態において、操作体６がねじ軸８に沿って抜き外れる。これを防ぐために、操作体６の孔１７とねじ軸８とを接着剤で仮固定しておくことができる。必要があれば、ねじ軸８に止め輪を装着して、操作体６の抜け出しを防いでもよい。
【００２１】
上記以外に第１ねじ３をねじ軸で形成し、締結リング９に設けるべき第２ねじ８をねじ孔で形成してもよい。操作体６と締結リング９に設ける係合体１３・１６は、別の係合形態を採ることができ、例えば締結リング９の突部を上方へ延長し、延長部周面に操作盤１５の孔１７を外嵌し、延長部周面と孔とをスプライン構造や、断面非円形の孔１７と軸部とで同行回転可能に係合連結してもよい。棒状体１は、直線状の棒体と、この棒体の両端に連結されるエルボ状の一対の取付部とで構成することができる。ねじ軸８と締結リング９とは一体に形成することができる。必要に応じて、キャップ２０を操作体６と一体に形成してもよい。
【００２２】
【発明の効果】
本発明では、壁面Ｗ側に設けたねじ機構を操作して、棒状体１を壁面側へ引き寄せ固定できるようにしたので、壁面Ｗの凹凸状態とは無関係に、棒状体１を完全に締結固定でき、長期使用時にもがた付きを生じる余地のない状態で強固に棒状体１を取り付けられる。連結作業時の壁面Ｗの傷付きも解消できる。台座４と締結体５との間に位置ずれを吸収する隙間Ｅを設けるので、従来の取付構造と同様に、ねじ機構を壁面Ｗに取り付けた後、棒状体１をねじ機構にねじ込み連結する施工形態を採れ、棒状体１の取り付けに要する手間を軽減できる。
【図面の簡単な説明】
【図１】各部材を分離した状態での断面図である。
【図２】構成部品の分解斜視図である。
【図３】組み付け状態での断面図である。
【図４】図３におけるＡ−Ａ線断面図である。
【図５】図３におけるＢ矢視図である。
【符号の説明】
１  棒状体
３  第１ねじ
４  台座
５  締結体
６  操作体
８  第２ねじ（ねじ軸）
９  締結リング
１３  係合体
１６  係合体
２０  キャップ
Ｅ・Ｆ  隙間
【図１】
0003865090.tif 000002
【図２】
0003865090.tif 000003
【図３】
0003865090.tif 000004
【図４】
0003865090.tif 000005
【図５】
0003865090.tif 000006